(57)【要約】【課題】長さの異なる複数のＦＰＣの他端の位置を揃えて同時に基板に圧着する。【解決手段】複数のＦＰＣとしてのＬＣＤ−ＦＰＣ２およびＢＬ−ＦＰＣ３のうち、接続方向の長さが最も短いＦＰＣ（ＬＣＤ−ＦＰＣ２）以外のＦＰＣ（ＢＬ−ＦＰＣ３）が載置されている位置に凸形状または凹形状の位置調整部８を設ける。【選択図】図１
2013165183.tif 000002
【特許請求の範囲】
【請求項１】
一端が所定の部材に接続されているフレキシブルプリント基板（ＦＰＣ）であって、一端から他端に向かう接続方向の長さが異なる複数のＦＰＣの他端をプリント基板に同時に圧着接続する圧着装置であって、
上記複数のＦＰＣを支持する支持部材を備え、
上記支持部材は、上記複数のＦＰＣのうち、接続方向の長さが最も短いＦＰＣ以外のＦＰＣが載置されている位置に凸形状または凹形状の位置調整部を有することを特徴とする圧着装置。
【請求項２】
上記位置調整部上に載置されているＦＰＣを、当該位置調整部と密接するように押さえる第１押さえ部を備えることを特徴とする請求項１に記載の圧着装置。
【請求項３】
上記支持部材上に載置されているＦＰＣを、上記プリント基板に密接させるように押さえる第２押さえ部を備えることを特徴とする請求項１または２に記載の圧着装置。
【請求項４】
一端が所定の部材に接続されているフレキシブルプリント基板（ＦＰＣ）であって、一端から他端に向かう接続方向の長さが異なる複数のＦＰＣの他端をプリント基板に同時に圧着接続する圧着方法であって、
圧着時に、上記複数のＦＰＣを支持部材に載置し、上記複数のＦＰＣのうち、接続方向の長さが最も短いＦＰＣ以外のＦＰＣを、上記支持部材に設けられた凸形状または凹形状の位置調整部に接するように載置することを特徴とする圧着方法。
【請求項５】
請求項１〜３の何れか１項に記載の圧着装置により、一端が所定の部材に接続されている、長さの異なる複数のＦＰＣとプリント基板とが圧着接続された基板ユニット。
【発明の詳細な説明】
【技術分野】
【０００１】
本発明は、プリント基板とフレキシブルプリント基板とを異方性導電フィルムを用いて圧着接続する圧着装置および圧着方法、並びに、当該圧着装置により作成された基板ユニットに関するものである。
【背景技術】
【０００２】
基板に、表面実装型のチップ部品やＩＣ（Integrated Circuit）等を実装する方法として、異方性導電フィルム（ＡＣＦ：Anisotropic Conductive Film）を用いる方法が知られている。また、小型化・薄型化が求められる携帯機器等においては、プリント基板とフレキシブルプリント基板（ＦＰＣ：Flexible printed circuits）との接続等、基板同士の接続にＡＣＦを用いる方法が広く採用されている。
【０００３】
上記ＡＣＦを用いた接続方法によれば、ファインピッチでの接続が可能となるとともに、基板間接続においては、コネクタを必要としないため小型化・薄型化が図れるという利点がある。
【０００４】
例えば、携帯電話機に内蔵する液晶ディスプレイ（ＬＣＤ：Liquid Crystal Display）ユニットは、信号処理等を行う部品が搭載された１枚のプリント基板と、表示用の信号をＬＣＤユニットとプリント基板との間でやりとりするためのＬＣＤ−ＦＰＣや、バックライト用の電力を供給するためのＢＬ−ＦＰＣなど複数のＦＰＣを介して接続される。この液晶ディスプレイユニットと複数のＦＰＣとの接続、および、プリント基板と複数のＦＰＣとの接続にＡＣＦが用いられる。
【０００５】
ＡＣＦを用いて装置の小型化・薄型化を図る技術として様々な技術が開発されている。例えば、特許文献１にはディスプレイパネル基板とプリント回路基板とが、複数のＦＰＣによって接続されている例が示されており、挟ピッチ接続に対応するためのＦＰＣ接続方法が提案されている。
【０００６】
ここで、ＡＣＦによる熱圧着を行う場合、ＡＣＦを構成する熱硬化性樹脂が硬化する間、圧着機の加熱ヒーターによりＡＣＦ圧着部分を一定時間（例えば１０秒程度）加熱・加圧する必要がある。こうした熱圧着を各々のＦＰＣに対して行うと、製造時間が長くなるとともに、製造コストの増大要因となる。そのため、一定条件の下、各ＡＣＦ接続部分に同等の加熱・加圧が行える場合には、複数のＦＰＣを同時に圧着することが行われる。
【先行技術文献】
【特許文献】
【０００７】
【特許文献１】特開２０１１−２２１４４０号公報（２０１１年１１月４日公開）
【発明の概要】
【発明が解決しようとする課題】
【０００８】
このとき、図８に示すように、ＬＣＤユニット１０１に接続された複数のＦＰＣ（ＬＣＤ−ＦＰＣ１０２およびＢＬ−ＦＰＣ１０３）が、ＬＣＤユニット１の高さ方向（厚み方向）について異なる高さから引き出されている場合がある。
【０００９】
図８に示すように、携帯電話機等において、ＬＣＤユニット１０１とプリント基板１０５とが同一面上に配置される場合、ＬＣＤ−ＦＰＣ１０２およびＢＬ−ＦＰＣ１０３をプリント基板１０５に圧着する際に、ＬＣＤ−ＦＰＣ１０２のプリント基板１０５との圧着部１１２と、ＢＬ−ＦＰＣ１０３のプリント基板１０５との圧着部１１３とを、プリント基板１０５上で一直線上に容易に配置することができる（図９参照）。そのため、ＡＣＦによって、圧着部１１２および圧着部１１３を同時にプリント基板１０５に圧着することができる。
【００１０】
しかしながら、携帯電話機等では小型化・薄型化が求められるため、携帯電話機等において、ＬＣＤユニット１およびプリント基板５は、図３に示すように、ＦＰＣ部分で折り曲げられＬＣＤユニット１とプリント基板５とが重なるように配置される。この場合、図３に示すように、ＬＣＤ−ＦＰＣ２およびＢＬ−ＦＰＣ３は、ＬＣＤユニット１と異なる位置で接続しているため、その長さが互いに異なる。
【００１１】
図３に示す状態とする前の圧着工程は、図４に示すように、ＬＣＤユニット１に接続されたＬＣＤ−ＦＰＣ２およびＢＬ−ＦＰＣ３を伸ばした状態で行う。そうすると、ＬＣＤ−ＦＰＣ２のプリント基板５との圧着部１２と、ＢＬ−ＦＰＣ３のプリント基板５との圧着部１３とが一直線上に位置しない。
【００１２】
長さの異なるＬＣＤ−ＦＰＣ２およびＢＬ−ＦＰＣ３をプリント基板５上の同一直線上の位置で圧着する場合、長い方のＢＬ−ＦＰＣ３にたるみが生じ、カバーレイ開口部等特定の折れ曲がりやすい部位で断線を生じてしまうなどの問題が生じる。
【００１３】
本発明は、上記の問題点に鑑みてなされたものであり、その目的は、ＦＰＣに過度の負荷を与えることなく、一端がＬＣＤユニット等に接続されているＦＰＣであって、長さの異なる複数のＦＰＣの他端を同時に基板に圧着する圧着装置および圧着方法、並びに、当該圧着装置により作成された基板ユニットを実現することにある。
【課題を解決するための手段】
【００１４】
本発明に係る圧着装置は、上記課題を解決するために、一端が所定の部材に接続されているフレキシブルプリント基板（ＦＰＣ）であって、一端から他端に向かう接続方向の長さが異なる複数のＦＰＣの他端をプリント基板に同時に圧着接続する圧着装置であって、上記複数のＦＰＣを支持する支持部材を備え、上記支持部材は、上記複数のＦＰＣのうち、接続方向の長さが最も短いＦＰＣ以外のＦＰＣが載置されている位置に凸形状または凹形状の位置調整部を有することを特徴としている。
【００１５】
また、本発明に係る圧着方法は、上記課題を解決するために、一端が所定の部材に接続されているフレキシブルプリント基板（ＦＰＣ）であって、一端から他端に向かう接続方向の長さが異なる複数のＦＰＣの他端をプリント基板に同時に圧着接続する圧着方法であって、圧着時に、上記複数のＦＰＣを支持部材に載置し、上記複数のＦＰＣのうち、接続方向の長さが最も短いＦＰＣ以外のＦＰＣを、上記支持部材に設けられた凸形状または凹形状の位置調整部に接するように載置することを特徴としている。
【００１６】
上記の構成によれば、上記複数のＦＰＣのうち、接続方向の長さが最も短いＦＰＣ以外のＦＰＣを、凸形状または凹形状の位置調整部に接するように載置する。そのため、接続方向の長さが最も短いＦＰＣ以外のＦＰＣを安定的に湾曲することができる。よって、ＦＰＣに過度の負荷を与えることなく、接続方向の長さが最も短いＦＰＣの圧着部と一直線上に他のＦＰＣの圧着部を配置することができる。
【００１７】
従って、一端が所定の部材に接続され、接続方向の長さが異なる複数のＦＰＣであっても、位置調整部を設けるという簡単な構成で、ＦＰＣに過度のストレスを加えることなく、複数のＦＰＣをプリント基板に同時に圧着接続することができるという効果を奏する。
【００１８】
また、本発明に係る圧着装置は、上記位置調整部上に載置されているＦＰＣを、当該位置調整部と密接するように押さえる第１押さえ部を備えることが好ましい。
【００１９】
上記の構成によれば、第１押さえ部が上記位置調整部上に載置されているＦＰＣを、当該位置調整部と密接するように押さえる。そのため、より確実に接続方向の長さが最も短いＦＰＣの圧着部と一直線上に他のＦＰＣの圧着部を配置することができる。
【００２０】
また、本発明に係る圧着装置は、上記支持部材上に載置されているＦＰＣを、上記プリント基板に密接させるように押さえる第２押さえ部を備えることが好ましい。
【００２１】
ここで、プリント基板とＦＰＣとの位置合わせは、プリント基板およびＦＰＣの接続部にそれぞれ設けられた位置合わせマークに基づいて行われる。プリント基板の上にＦＰＣを重ねた状態において、プリント基板とＦＰＣとが密接していない場合、ＦＰＣを透過してプリント基板上の位置合わせマークを確認することが困難である。
【００２２】
そこで、上記の構成によれば、第２押さえ部が上記支持部材上に載置されているＦＰＣを、上記プリント基板に密接させるように押さえるため、プリント基板の位置合わせマークがＦＰＣを透過して十分に確認することができる。よって、プリント基板とＦＰＣとの位置合わせをより正確に行うことができる。
【００２３】
また、上記圧着装置により、一端が所定の部材に接続されている、長さの異なる複数のＦＰＣとプリント基板とが圧着接続された基板ユニットも本発明の範疇に入る。
【発明の効果】
【００２４】
以上のように、本発明に係る圧着装置は、上記複数のＦＰＣを支持する支持部材を備え、上記支持部材は、上記複数のＦＰＣのうち、接続方向の長さが最も短いＦＰＣ以外のＦＰＣが載置されている位置に凸形状または凹形状の位置調整部を有する構成である。
【００２５】
また、本発明に係る圧着方法は、圧着時に、上記複数のＦＰＣを支持部材に載置し、上記複数のＦＰＣのうち、接続方向の長さが最も短いＦＰＣ以外のＦＰＣを、上記支持部材に設けられた凸形状または凹形状の位置調整部に接するように載置する。
【００２６】
従って、一端が所定の部材に接続され、接続方向の長さが異なる複数のＦＰＣであっても、位置調整部を設けるという簡単な構成で、ＦＰＣに過度のストレスを加えることなく、複数のＦＰＣをプリント基板に同時に圧着接続することができるという効果を奏する。
【図面の簡単な説明】
【００２７】
【図１】本発明の第１の実施形態を示すものであり、圧着装置の要部構成の概要を示す図であって、圧着装置を側面から見た断面図である。
【図２】上記圧着装置の上面図である。
【図３】ＬＣＤ−ＦＰＣおよびＢＬ−ＦＰＣを介して接続されているＬＣＤユニットおよびプリント基板の側面図である。
【図４】ＬＣＤ−ＦＰＣおよびＢＬ−ＦＰＣが接続されたＬＣＤユニットの上面図である。
【図５】本発明の第１の実施形態を示すものであり、圧着装置の要部構成の概要を示す図であって、圧着装置を側面から見た断面図である。
【図６】上記圧着装置の上面図である。
【図７】ＬＣＤ−ＦＰＣに設けられた位置合わせマークの一例を示す図である。
【図８】ＬＣＤ−ＦＰＣおよびＢＬ−ＦＰＣを介して接続されているＬＣＤユニットおよびプリント基板の側面図である。
【図９】ＬＣＤ−ＦＰＣおよびＢＬ−ＦＰＣを介して接続されているＬＣＤユニットおよびプリント基板の上面図である。
【発明を実施するための形態】
【００２８】
＜ＬＣＤユニットおよびプリント基板、並びに、それらを接続するＦＰＣについて＞
一般的に、携帯電話機等に搭載されるＬＣＤユニットは、信号処理等を行う部品が搭載されたプリント基板からの信号に基づいて画像等を表示する。そのため、ＬＣＤユニットとプリント基板とは、表示用の信号をプリント基板からＬＣＤユニットに送信するためのＬＣＤ−ＦＰＣで接続されている。
【００２９】
また、ＬＣＤユニットが備えるバックライトの電力をプリント基板から供給するために、ＬＣＤユニットとプリント基板とは、電力供給用のＢＬ−ＦＰＣでも接続されている。つまり、ＬＣＤユニットおよびプリント基板は、２つのＦＰＣを介して接続している。
【００３０】
ここで、ＬＣＤユニットおよびプリント基板が搭載される携帯電話機等は、薄型化が求められるため、プリント基板に対してＡＣＦを用いてＦＰＣが接続されることが広く行われている。
【００３１】
ＡＣＦ接続は、例えば、ＦＰＣの圧着部に設けられた端子部と、プリント基板上に設けられた端子部を対向する位置に配置し、両端子部間に導電粒子を含んだ熱硬化性樹脂のフィルム（ＡＣＦ）を介挿する。その後、ＡＣＦに対して２００℃程度の温度と３ＭＰａ程度の圧力が加わるように、圧着部を加圧加熱する。これにより、ＦＰＣの端子部とプリント基板の端子部とは導電粒子を介して電気的に接続されるとともに、硬化した樹脂によって両基板の接続を保持しながら、隣接する端子部間の絶縁を保つことができる。
【００３２】
ここで、携帯電話機等の筐体内部において、ＬＣＤユニットおよびプリント基板が同一平面上に配置される場合のＦＰＣについて図８および図９に基づいて説明する。図８および図９は、ＬＣＤ−ＦＰＣおよびＢＬ−ＦＰＣを介して接続されているＬＣＤユニットおよびプリント基板の側面図および上面図である。
【００３３】
図８に示すように、一般的に、ＬＣＤユニット１０１は平板形状等の略直方体であり、ＬＣＤユニット１０１の側面（接続面）の高さ方向の異なる位置にＬＣＤ−ＦＰＣ１０２およびＢＬ−ＦＰＣ１０３がそれぞれ接続されることが一般的である。
【００３４】
ＬＣＤユニット１０１およびプリント基板１０５が同一平面上に配置される場合には、上述のようにＬＣＤ−ＦＰＣ１０２およびＢＬ−ＦＰＣ１０３がＬＣＤユニット１０１の異なる高さから引き出されていたとしても、ＬＣＤユニット１０１の各ＦＰＣの接続部からプリント基板１０５上の圧着位置までの距離は、ＬＣＤ−ＦＰＣ１０２とＢＬ−ＦＰＣ１０３との間に大きな差はない。
【００３５】
そのため、ＬＣＤ−ＦＰＣ１０２およびＢＬ−ＦＰＣ１０３をプリント基板１０５に対してＡＣＦ圧着する際に、各圧着部１１２及び１１３を一直線上に設けることが容易であり、２つのＦＰＣを同時に圧着したとしても、ＬＣＤ−ＦＰＣ１０２およびＢＬ−ＦＰＣ１０３に過大な負荷が加わることはなく、信頼性の高い接続を行うことができる。
【００３６】
次に、携帯電話機等の筐体内部において、ＬＣＤユニットおよびプリント基板が重なるように配置される場合のＦＰＣについて図３および図４に基づいて説明する。図３は、ＬＣＤ−ＦＰＣおよびＢＬ−ＦＰＣを介して接続されているＬＣＤユニットおよびプリント基板の側面図である。図４は、ＬＣＤ−ＦＰＣおよびＢＬ−ＦＰＣが接続されたＬＣＤユニットの上面図である。
【００３７】
一般的な携帯電話機では筐体を小型化するため、図３に示すように、ＬＣＤユニット１およびプリント基板５は、筐体内部において重なるように配置される。このとき、プリント基板５上において、ＬＣＤ−ＦＰＣ２およびＢＬ−ＦＰＣ３の圧着部１２および１３を一直線上に配置する場合、ＬＣＤユニット１の各ＦＰＣの接続部からプリント基板５上の圧着位置までの距離は、ＬＣＤ−ＦＰＣ２とＢＬ−ＦＰＣ３とで異なる。つまり、ＬＣＤユニット１およびプリント基板５が折り重なった状態でＬＣＤ−ＦＰＣ２およびＢＬ−ＦＰＣ３の長さを適正に保つためには、図４に示すように、ＬＣＤ−ＦＰＣ２およびＢＬ−ＦＰＣ３の長さが異なるように設計する必要がある。
【００３８】
ＬＣＤ−ＦＰＣ２およびＢＬ−ＦＰＣ３の長さが異なるため、図４に示すように、ＬＣＤ−ＦＰＣ２およびＢＬ−ＦＰＣ３を伸張した状態では、圧着部１２および１３を一直線上に配置することができない。この場合、図９に示す例と同様にＬＣＤ−ＦＰＣ２およびＢＬ−ＦＰＣ３をプリント基板５上に同時にＡＣＦ接続すると、ＢＬ−ＦＰＣ３にたるみが生じる等、ＦＰＣに負荷が加わり断線等不具合の原因となる。
【００３９】
そこで、本発明では、一端がＬＣＤユニット１に接続されているＦＰＣであって、一端から他端に向かう接続方向の長さが異なる複数のＦＰＣの他端をプリント基板５に圧着接続する際に、ＦＰＣを支持する支持部材に凸形状または凹形状の位置調整部を設け、上記複数のＦＰＣのうち、接続方向の長さが最も短いＦＰＣ以外のＦＰＣを位置調整部に沿って載置する。これにより、接続方向の長さか長いＦＰＣを、過度の負荷を与えることなく、位置調整部に接するように湾曲させることができる。よって、ＦＰＣに過度の負荷を与えることなく、プリント基板５上で各ＦＰＣの圧着部を一直線上に配置することができる。
【００４０】
以下に、本発明に係る圧着装置および圧着方法について、具体的な実施形態を例示して説明する。なお、以下では、図４に示す一端がＬＣＤユニット１に接続された２つのＦＰＣをプリント基板５に圧着する例を示すが、本発明に係る圧着装置が圧着するＦＰＣはこれに限るものではない。例えば、本発明に係る圧着装置は、一端がＬＣＤユニット１に接続された、互いに長さの異なる３つ以上のＦＰＣをプリント基板５に圧着してもよい。
【００４１】
また、長さの異なる複数のＦＰＣが接続されている部材はＬＣＤユニット１に限るものではなく、任意でよい。つまり、本発明において、プリント基板５と圧着接続する複数のＦＰＣの一端は、所定の部材に接続されていればよい。
【００４２】
また、本発明に係る圧着装置によって作成されたＬＣＤユニット１、複数のＦＰＣおよびプリント基板５の組み合わせは、携帯電話機に搭載されるものとして説明したが、これに限るものではない。例えば、ＬＣＤユニット１、複数のＦＰＣおよびプリント基板５の組み合わせは、携帯ゲーム機、ＰＤＡ、デジタルカメラ、ビデオカメラ、携帯テレビ、携帯音楽プレイヤー等の小型化・薄型化が求められる装置に内蔵されるものであってもよい。なお、ＬＣＤユニット１、複数のＦＰＣおよびプリント基板５の組み合わせを基板ユニットと称する。
【００４３】
＜第１の実施形態＞
本発明の第１の実施形態について図１から図４に基づいて説明すると以下の通りである。
【００４４】
第１の実施形態に係る圧着装置の構成を図１および図２に基づいて説明する。図１は、第１の実施形態にかかる圧着装置１０の要部構成の概要を示す図であって、圧着装置１０を側面から見た断面図である。
【００４５】
図１に示すように、圧着装置１０は、ＬＣＤユニット載置部（支持部材）６、プリント基板載置部７、圧着ヘッド９およびカメラ４を備える。なお、図１では、図４に示す２つのＦＰＣ（ＬＣＤ−ＦＰＣ２およびＢＬ−ＦＰＣ３）が接続されたＬＣＤユニット１と、プリント基板５とが圧着装置１０に載置されている状態を示す。
【００４６】
ここで、ＬＣＤユニット１とＦＰＣとの接続部からプリント基板５とＦＰＣとの接続部に向かう方向（図１の横方向）をＹ軸とし、ＬＣＤユニット１の高さ方向（図１の縦方向）をＺ軸とし、図１の奥行き方向をＸ軸とする。また、Ｙ軸の正方向を接続方向、Ｚ軸の正方向を高さ方向とも称する。
【００４７】
ＬＣＤユニット載置部６は、ＬＣＤユニット１を支持するものである。ＬＣＤユニット載置部６の上表面（Ｚ軸の正方向側の表面）には、凹部が設けられており、その凹部にＬＣＤユニット１が配置される。このとき、ＬＣＤユニット１の高さ方向の一番下に接続されているＦＰＣ（図１ではＬＣＤ−ＦＰＣ２）がＬＣＤユニット載置部６の上表面に接するように、凹部の形状（凹部の窪みの深さ）を適宜設計する。
【００４８】
また、ＬＣＤユニット載置部６は、ＬＣＤユニット１に接続されている複数のＦＰＣのうち、接続方向の長さが最も短いＦＰＣ以外のＦＰＣの圧着部の位置を調整する位置調整部８を備える。図１に示すように、位置調整部８は、ＬＣＤユニット載置部６の上表面から突出して設けられている凸形状のものである。
【００４９】
図１に示す例では、接続方向の長さが短いＬＣＤ−ＦＰＣ２がＬＣＤユニット載置部６の上表面上に接するように載置され、接続方向の長さが長いＢＬ−ＦＰＣ３が位置調整部８およびＬＣＤユニット載置部６の上表面上に接するように載置されている。すなわち、ＬＣＤユニット載置部６は、ＬＣＤユニット１およびＬＣＤユニット１に接続する複数のＦＰＣを支持するものである。
【００５０】
また、位置調整部８は、ＬＣＤユニット載置部６の上表面上において、接続方向の長さが最も短いＦＰＣ以外のＦＰＣが載置される位置に設けられるものである。このことを図２に基づいて説明する。
【００５１】
図２は、第１の実施形態にかかる圧着装置１０の要部構成の概要を示す図であって、圧着装置１０の上面図である。なお、図２では、説明の便宜を図るため、圧着ヘッド９およびカメラ４を図示していない。
【００５２】
図２に示すように、接続方向の長さが長いＢＬ−ＦＰＣ３が載置されている位置に位置調整部８が設けられている。なお、位置調整部８は、接続方向の長さが長いＢＬ−ＦＰＣ３が載置される経路上であれば、どの位置に設置されていてもよい。
【００５３】
図２に示すように、接続方向の長さが長いＢＬ−ＦＰＣ３を位置調整部８に接するように湾曲させることにより、接続方向の長さの異なるＦＰＣの圧着部を一直線上に配置することができる。すなわち、接続方向の長さが長いＢＬ−ＦＰＣ３の圧着部１３が接続方向の長さが短いＬＣＤ−ＦＰＣ２の圧着部１２と一直線上の位置に配置されるように、位置調整部８の形状・大きさを適宜設計する。
【００５４】
プリント基板載置部７は、上表面でプリント基板５を支持するものである。このとき、ＬＣＤユニット載置部６の上表面と、プリント基板載置部７上に載置されたプリント基板５の上表面とが略同一平面を形成するように、プリント基板載置部７の上表面のＺ軸の位置を適宜設計する。
【００５５】
圧着ヘッド９は、ＦＰＣの圧着部に対して加熱・加圧し、ＦＰＣの端子部とプリント基板５の端子部とを電気的に接続するものである。なお、ＦＰＣとプリント基板５とを圧着する場合は、圧着ヘッド９の真下にＦＰＣの圧着部が位置するように、不図示の移動機構（スライド機構）により、ＬＣＤユニット載置部６およびプリント基板載置部７をＹ軸の正方向に移動させる。
【００５６】
カメラ４は、プリント基板５とＦＰＣとの接続部の画像を撮像するものである。ユーザは、カメラ４が撮像した画像に基づいて、ＦＰＣの端子部がプリント基板５上の端子部に対向する位置に配置されているか否かを確認する。
【００５７】
このように、圧着装置１０に長さの異なるＦＰＣが接続されているＬＣＤユニット１と、プリント基板５とを載置することにより、接続方向の長さが長いＢＬ−ＦＰＣ３に外力等の過度のストレスを与えることなく、安定的に各ＦＰＣの圧着部をプリント基板５上で一直線上に配置することができる。そのため、圧着ヘッド９によって同時に圧着を容易に行うことができるとともに、図３に示すようにＬＣＤユニット１およびプリント基板５が折り重なった状態でも両ＦＰＣに負荷が生じず、断線等の不具合を回避することができる。
【００５８】
換言すると、圧着装置１０は、１つのＬＣＤユニットなどに接続された複数のＦＰＣが、当該ＬＣＤユニットの高さ方向について異なる高さから引き出されている場合であって、上記複数ＦＰＣを同時に圧着するための圧着装置であって、ＬＣＤユニット１と圧着部との間であって、少なくとも１つのＦＰＣが載置される経路上に、位置調整部８を含んでいることを特徴とする。
【００５９】
なお、本実施形態では、位置調整部８は、ＬＣＤユニット載置部６の上表面から突出して設けられている凸形状のものであるが、ＬＣＤユニット載置部６の上表面に形成された凹部形状のものであってもよい。
【００６０】
また、ＬＣＤユニット１に３つ以上のＦＰＣが接続されている場合、接続方向の長さが最も短いＦＰＣ以外のＦＰＣの経路上に、それぞれ位置調整部８が設けられる。つまり、ＬＣＤユニット載置部６が複数の位置調整部８を有し、各ＦＰＣの圧着部の位置が、接続方向の長さが最も短いＦＰＣの圧着部と一直線上に位置するように各位置調整部８の形状・大きさがそれぞれ適宜設計される。
【００６１】
＜第２の実施形態＞
本発明の第２の実施形態について図５から図７に基づいて説明すると以下の通りである。第２の実施形態に係る圧着装置は、第１の実施形態に係る圧着装置１０に、ＦＰＣ押さえユニットを新たに設けたものである。そのため、説明の便宜上、第１の実施形態において示した部材と同一の機能を有する部材には、同一の符号を付し、その説明を省略する。
【００６２】
第２の実施形態に係る圧着装置の構成を図５および図６に基づいて説明する。図５は、第２の実施形態にかかる圧着装置２０の要部構成の概要を示す図であって、圧着装置２０を側面から見た断面図である。図６は、第２の実施形態にかかる圧着装置２０の要部構成の概要を示す図であって、圧着装置２０の上面図である。なお、図６では、説明の便宜を図るため、圧着ヘッド９およびカメラ４を図示していない。
【００６３】
図５および図６に示すように、圧着装置２０は、ＬＣＤユニット載置部６、プリント基板載置部７、圧着ヘッド９、カメラ４およびＦＰＣ押さえユニット１７を備える。なお、図５および図６では、図４に示す２つのＦＰＣ（ＬＣＤ−ＦＰＣ２およびＢＬ−ＦＰＣ３）が接続されたＬＣＤユニット１と、プリント基板５とが圧着装置２０に載置されている状態を示す。
【００６４】
ここで、ＬＣＤユニット１とＦＰＣとの接続部からプリント基板５とＦＰＣとの接続部に向かう方向（図５および図６の横方向）をＹ軸とし、ＬＣＤユニット１の高さ方向（図５の縦方向、図６の奥行き方向）をＺ軸とし、図５の奥行き方向および図６の縦方向をＸ軸とする。また、Ｙ軸の正方向を接続方向、Ｚ軸の正方向を高さ方向とも称する。
【００６５】
ＦＰＣ押さえユニット１７は、ＬＣＤユニット載置部６上にＦＰＣを密接させるものである。ＦＰＣ押さえユニット１７は、押さえ支持体１４、第１押さえ部１５および第２押さえ部１６を備える。なお、ＦＰＣ押さえユニット１７は、少なくとも第１押さえ部１５および第２押さえ部１６のどちらかを備えていればよい。
【００６６】
押さえ支持体１４は、第１押さえ部１５および第２押さえ部１６を支持するものである。押さえ支持体１４は、Ｙ軸の負方向側の端部を軸として、回転可能に設置されている。
【００６７】
第１押さえ部１５は、位置調整部８に沿って載置されているＦＰＣを上から押さえて、位置調整部８にＦＰＣをより密接させるものである。第１押さえ部１５および位置調整部８によってＦＰＣを挟み込むことにより、接続方向の長さが長いＦＰＣの圧着部を接続方向の長さが最も短いＦＰＣの圧着部と一直線上の位置により確実に配置することができる。
【００６８】
第１押さえ部１５は、位置調整部８と係合する形状である。つまり、図５に示すように、位置調整部８が凸形状であれば、第１押さえ部１５は凹形状とする。一方、位置調整部８が凹形状であれば、第１押さえ部１５は凸形状とする。また、図６に示すように、第１押さえ部１５は、位置調整部８に対応する位置に設けられる。
【００６９】
第２押さえ部１６は、ＬＣＤユニット載置部６の上表面上に載置されているＦＰＣを上から押さえて、ＬＣＤユニット載置部６にＦＰＣをより密接させるものである。第２押さえ部１６によってＦＰＣの圧着部の近傍を押さえることにより、ＬＣＤユニット載置部６と略同一平面上にあるプリント基板５にＦＰＣをより密接させることができる。
【００７０】
なお、図６に示す例では、第２押さえ部１６は、ＬＣＤ−ＦＰＣ２に対応する位置に設けられており、ＬＣＤ−ＦＰＣ２のみを押さえているが、これに限るものではない。第２押さえ部１６をＢＬ−ＦＰＣ３に対応する位置に設けてもよい。
【００７１】
ここで、ＦＰＣとプリント基板５とを圧着する際に、ＦＰＣおよびプリント基板５に設けられた位置合わせマークに基づいて、ＦＰＣの端子部とプリント基板５の端子部とが対向するように位置合わせを行う。このとき、プリント基板５側の位置合せマークは、透過性のＦＰＣを介して確認するものであるが、プリント基板５とＦＰＣとの間が広く空いている場合、プリント基板５上の位置合わせマークを視認することが難しくなり、位置合わせが困難となる。
【００７２】
そのため、第２押さえ部１６によってＦＰＣの圧着部の近傍を押さえることにより、圧着部におけるＦＰＣとプリント基板５との距離が近くなり、圧着部上方に設けられたカメラ４を使って位置合わせを容易に行うことができる。
【００７３】
なお、位置合わせマークの一例を図７に示す。図７は、ＬＣＤ−ＦＰＣ２に設けられた位置合わせマークの一例を示す図である。図７に示すように、ＬＣＤ−ＦＰＣ２の圧着部１２に位置合わせマークが設けられている。この場合、同じ模様の位置合わせマークがプリント基板５上のＬＣＤ−ＦＰＣ２の圧着部１２と対応する位置に設けられる。
【００７４】
＜補足＞
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７５】
本発明は、携帯電話機等に搭載されるＬＣＤユニットとプリント基板とを接続する複数のＦＰＣをプリント基板にＡＣＦを用いて同時に圧着する圧着装置に利用することができる。
【符号の説明】
【００７６】
１    ＬＣＤユニット
２    ＬＣＤ−ＦＰＣ
３    ＢＬ−ＦＰＣ
４    カメラ
５    プリント基板
６    ＬＣＤユニット載置部（支持部材）
７    プリント基板載置部
８    位置調整部
９    圧着ヘッド
１０    圧着装置
１２    圧着部
１３    圧着部
１４    押さえ支持体
１５    第１押さえ部
１６    第２押さえ部
１７    ＦＰＣ押さえユニット
２０    圧着装置
【図１】
2013165183.tif 000003
【図２】
2013165183.tif 000004
【図３】
2013165183.tif 000005
【図４】
2013165183.tif 000006
【図５】
2013165183.tif 000007
【図６】
2013165183.tif 000008
【図７】
2013165183.tif 000009
【図８】
2013165183.tif 000010
【図９】
2013165183.tif 000011